(57)【特許請求の範囲】
【請求項１】
浴槽と、前記浴槽の一辺と隣接する位置に配置される床部材と、前記浴槽および前記洗い場床部材の周囲に立設される板状の壁部材と、前記壁部材を支持する柱状の支柱部材と、を備える浴室ユニットであって、
前記床部材は、
発泡成形された熱可塑性樹脂からなり、前記浴槽に沿う辺を除く他辺の周縁部に前記壁部材が載置される壁載置部が一体的に設けられてなる洗い場床パンと、
前記洗い場床パンの線膨張係数よりも小さい線膨張係数となり且つ前記洗い場床パンの剛性よりも高い剛性となるように形成され、前記洗い場床パンの下側に配置される床支持部材と、を有し、
前記支柱部材は、前記床支持部材に対して取り付けられると共に、前記洗い場床パンの
外側から上方側に立設するように、間隔をあけて少なくとも一対設けられており、
前記洗い場床パンは、その周縁部が前記一対の支柱部材よりも外側に位置するように予め大きめに形成されており、且つ前記壁載置部より内側に設けられ、面方向に圧縮可能な圧縮許容部を有しており、
前記支柱部材に対応する前記壁載置部の一部を前記支柱部材に当接させるように圧縮変形させ、前記洗い場床パンの水平面投影領域を矯正する矯正手段を設け、
前記矯正手段は、前記洗い場床パンを内側に向けて圧縮した状態で前記床支持部材に載置させることを特徴とする浴室ユニット。
【請求項２】
前記矯正手段は、少なくとも前記一対の支柱部材に対応する位置に設けられてなることを特徴とする請求項１に記載の浴室ユニット。
【請求項３】
前記矯正手段は、前記洗い場床パンの前記周縁部を、前記壁戴置部の内側に形成される洗い場床面に沿って内側に押し込むことで、前記洗い場床パンを圧縮変形させる押圧部を有し、
前記押圧部は、前記床支持部材の周縁部から前記壁部材側に立設し、その上端が前記壁戴置部と略同等以上の高さに突出するように設けられていることを特徴とする請求項１に記載の浴室ユニット。
【請求項４】
前記壁戴置部の上面は、前記洗い場床面よりも低い位置に形成され、
前記一対の支柱部材間において前記壁戴置部が前記洗い場床面に沿って外側に膨らんだままの状態となった場合であっても、前記壁部材の下端が前記壁戴置部の上面に当接するように、前記壁戴置部の上面の幅が前記壁部材の下端の厚みよりも広く形成されていることを特徴とする請求項２に記載の浴室ユニット。
【請求項５】
前記矯正手段は、前記床支持部材に取り付けられ、
前記支柱部材は、前記矯正手段に取り付けられることで前記床支持部材に対して取り付けられていることを特徴とする請求項２〜４のいずれか１項に記載の浴室ユニット。
【請求項６】
前記洗い場床パンの前記浴槽側周縁部に、前記床支持部材側に突出した排水ピットが形成されており、前記排水ピットは前記床支持部材との水平方向における位置ずれを規制するように、水平方向に拘束されていることを特徴とする請求項５に記載の浴室ユニット。
【発明の詳細な説明】
【技術分野】
【０００１】
本発明は、浴槽と、床部材と、壁部材と、壁部材を支持する柱状の支柱部材と、を備える浴室ユニットに関する。
【背景技術】
【０００２】
このような浴槽と壁部材と床部材とを備える浴室ユニットは、いわゆる在来工法の浴室に対して施工性及び生産性に優れることから広く普及している。浴室ユニットの床部材は、浴室の床としての強度や防水性や成形性といった様々な要求品質を満たしやすいことから、繊維樹脂強化プラスチック（以下、ＦＲＰ（Ｆｉｂｅｒ  Ｒｅｉｎｆｏｒｃｅｄ  Ｐｌａｓｔｉｃ）ともいう）によって形成されている。
【０００３】
ＦＲＰによって形成された床部材は、上述した強度や防水性や成形性といった要求品質を満たすためには優れたものであるが、解決すべき課題もある。下記特許文献１では、ＦＲＰ製の床部材が抱えるリサイクル課題を解決するために一つの提案を行っている。このリサイクル課題とは、ＦＲＰが炭素繊維といった強化材料を熱硬化性樹脂によってバインドすることで形成されることに起因するものであって、熱溶解してあらたな製品に成形し直すといった単純なリサイクル工程が適用できないことに起因する課題である。
【０００４】
このような課題を解決するものとして下記特許文献１では、建物床上に据え付けられるフレーム状架台と、フレーム状架台の上に固定される板状架台と、板状架台の上に支持される防水パンと、を備える床部材が提案されている。防水パンは熱可塑性樹脂からなり、フレーム状架台は鋼材からなり、板状架台は２枚の金属板の間に芯材を挟んでなるものである。
【先行技術文献】
【特許文献】
【０００５】
【特許文献１】特開２００８−２５１２２号公報
【発明の概要】
【発明が解決しようとする課題】
【０００６】
上記従来の技術は、最上層に配置される防水パンを熱可塑性樹脂によって構成することで、上述したリサイクル課題を解決すると共に、ＦＲＰ単一材料の一体構造では得られない素材選択の自由度も得られる優れた技術である。
【０００７】
しかしながら、熱可塑性樹脂は、線膨張係数が大きいものであり、与えられる熱の変動によって膨張したり収縮したりする性質がある。そのため、床部材単体としては上述したような優れた性質を持つものの、温度条件によっては、床部材から立ち上がるように設けられる壁部材との間に隙間が生じる可能性もある。この隙間が生じないように、床部材の外周に沿って壁部材を配置しようとすれば、壁部材を支えるために立設されている支持部材によって壁部材の両端は拘束されていることから、壁部材の中央が内側に引き込まれるようになり、壁部材を組み上げることができなくなる可能性もある。
【０００８】
本発明はこのような課題に鑑みてなされたものであり、その目的は、熱可塑性樹脂を用いて床面を形成しながらも、壁部材を狙い通りに組み上げることが可能な浴室ユニットを提供することにある。
【課題を解決するための手段】
【０００９】
上記課題を解決するために本発明に係る浴室ユニットは、浴槽と、前記浴槽の一辺と隣接する位置に配置される床部材と、前記浴槽および前記洗い場床部材の周囲に立設される板状の壁部材と、前記壁部材を支持する柱状の支柱部材と、を備える浴室ユニットであって、前記床部材は、発泡成形された熱可塑性樹脂からなり、前記浴槽に沿う辺を除く他辺の周縁部に前記壁部材が載置される壁載置部が一体的に設けられてなる洗い場床パンと、前記洗い場床パンの線膨張係数よりも小さい線膨張係数となり且つ前記洗い場床パンの剛性よりも高い剛性となるように形成され、前記洗い場床パンの下側に配置される床支持部材と、を有する。前記支柱部材は、前記床支持部材に対して取り付けられると共に、前記洗い場床パンの外側から上方側に立設するように、間隔をあけて少なくとも一対設けられている。前記洗い場床パンは、その周縁部が前記一対の支柱部材よりも外側に位置するように予め大きめに形成されており、且つ前記壁載置部より内側に設けられ、面方向に圧縮可能な圧縮許容部を有している。前記支柱部材に対応する前記壁載置部の一部を前記支柱部材に当接させるように圧縮変形させ、前記洗い場床パンの水平面投影領域を矯正する矯正手段を設け、前記矯正手段は、前記洗い場床パンを内側に向けて圧縮した状態で前記床支持部材に載置させている。
【００１０】
本発明によれば、洗い場の床面を構成する洗い場床パンを、熱可塑性樹脂によって形成しているので、成形時の二酸化炭素排出量を低減することが出来ると共に、リサイクルを容易なものとすることができる。洗い場床パンを発泡成形によって形成しているので、成形時の内圧を低減することができるため成形型の費用を低減することができ、洗い場床パン自体の軽量化を図ることもできる。洗い場床パンには、壁部材を載置するための壁載置部を一体的に設けているので、この壁載置部に壁部材を載せた状態を保つことで優れた防水性能を発揮することができる。支柱部材を床支持部材に対して取り付けることで、洗い場床パンに取り付けた場合に比較して、長期的に安定して壁部材を支持することができる。
【００１１】
更に本発明では、例えば、洗い場床パンが収縮してしまったとしても、狙いの水平面投影領域を確保できるように、狙いの水平面投影領域よりも十分に大きく形成し、洗い場床パンを圧縮変形させることで、狙いの水平面投影領域を確保することができるように構成している。また、一対の支柱部材に対応する壁載置部の一部を支柱部材に当接させるように圧縮変形させているので、少なくとも一対の支柱部材に対応する位置における洗い場床パンの壁載置部を、壁部材を載せるための正規の位置に配置することができる。支柱部材を洗い場床パンの外側から壁部材側に立設するように設けており、この支柱部材よりも内側に洗い場床パンを圧縮変形させているので、浴室ユニットしての平面寸法を維持した状態で配置することができる。結果として、壁部材を支柱部材に沿って垂直に立設することができ、壁部材や天井パネルを密接させて取り付けることができる。また、洗い場床パンの壁載置部より内側には、面方向に圧縮可能な圧縮許容部を有しているため、洗い場床パンの全体を圧縮変形させる場合に比べて、少ない力で洗い場床パンを平面方向に圧縮させることができる。また、圧縮許容部が積極的に圧縮するため、洗い場床パンを圧縮させる際に、洗い場床パンが破損することを防止できる。
【００１２】
また本発明に係る浴室ユニットでは、前記矯正手段は、少なくとも前記一対の支柱部材に対応する位置に設けられてなることも好ましい。
【００１３】
この好ましい態様では、矯正手段を一対の支柱部材に対応する位置に設けているので、洗い場床パンを一対の支柱部材に対応する位置において確実に狙いの位置まで圧縮変形させることができる。そのため、一対の支柱部材が配置された場所においては、壁部材を確実に正規の位置に配置することができる。更に、一対の支柱部材間においては、壁部材が内側に入り込むことがなく、結果として壁部材を正規の位置に立設させることができる。従って、矯正手段を洗い場床パンを囲繞するように全周に設けることなく、洗い場床パンの水平面投影領域を矯正し、壁部材を支柱部材に沿って垂直に立設することができる。
【００１４】
また本発明に係る浴室ユニットでは、前記矯正手段は、前記洗い場床パンの前記周縁部を、前記壁載置部の内側に形成される洗い場床面に沿って内側に押し込むことで、前記洗い場床パンを圧縮変形させる押圧部を有し、前記押圧部は、前記床支持部材の周縁部から前記壁部材側に立設し、その上端が前記壁載置部と略同等以上の高さに突出するように設けられていることも好ましい。
【００１５】
この好ましい態様では、洗い場床パンの周縁部を内側に押し込むことで圧縮変形させる押圧部を、その上端が前記壁載置部と略同等以上の高さに突出するように床支持部材に設けているので、洗い場床パンを一対の支柱部材に対応する位置においてより確実に狙いの位置まで圧縮変形させることができる。従って、一対の支柱部材が配置された場所においては、壁部材をより確実に正規の位置に配置することができる。
【００１６】
また本発明に係る浴室ユニットでは、前記壁載置部の上面は、前記洗い場床面よりも低い位置に形成され、前記一対の支柱部材間において前記壁載置部が前記洗い場床面に沿って外側に膨らんだままの状態となった場合であっても、前記壁部材の下端が前記壁載置部の上面に当接するように、前記壁載置部の上面の幅が前記壁部材の下端の厚みよりも広く形成されていることも好ましい。
【００１７】
この好ましい態様では、壁載置部の上面を、洗い場床面よりも低い位置に形成しているので、壁部材の下端を確実に位置決めすることができる。特に、一対の支柱部材間において壁載置部が洗い場床面に沿って外側に膨らんだままの状態となった場合であっても、壁部材の下端が壁載置部の上面に当接するように、壁載置部の上面の幅が壁部材の下端の厚みよりも広く形成されているので、壁載置部の変形度合いによらずに壁部材を確実に立設させることができる。
【００１８】
また本発明に係る浴室ユニットでは、前記矯正手段は、前記床支持部材に取り付けられ、前記支柱部材は、前記矯正手段に取り付けられることで前記床支持部材に対して取り付けられていることも好ましい。
【００１９】
この好ましい態様では、矯正手段を床支持部材に取り付けて、支柱部材を床支持部材に対して間接的に取り付けることができるように構成している。従って、矯正手段は、支柱部材の床支持部材に対する取付部材として構成することができるので、全体の構成を簡素化することができる。
【００２０】
また本発明に係る浴室ユニットでは、前記洗い場床パンの前記浴槽側周縁部に、前記床支持部材側に突出した排水ピットが形成されており、前記排水ピットは前記床支持部材との水平方向における位置ずれを規制するように、水平方向に拘束されていることも好ましい。
【００２１】
この好ましい態様では、洗い場床パンの浴槽側周縁部に、床支持部材側に突出した排水ピットが形成されているので、この排水ピットを基準として水平方向における洗い場床パン全体の位置ずれを規制している。従って、この排水ピットを基準として、矯正手段が洗い場床パンを圧縮変形することになるので、矯正手段が配置されない浴槽側を特別な部材を用いることなく位置決めすることができる。
【発明の効果】
【００２２】
本発明によれば、熱可塑性樹脂を用いて床面を形成しながらも、壁部材を狙い通りに組み上げることが可能な浴室ユニットを提供することができる。
【図面の簡単な説明】
【００２３】
【図１】本発明の実施形態に係る浴室ユニットの概略構成を示す斜視図である。
【図２】図１に示す浴室ユニットの床部材を構成する洗い場床パン及び床支持部材を示す斜視図である。
【図３】図１に示す浴室ユニットの床部材を構成する洗い場床パン及び床支持部材を示す平面図である。
【図４】図１に示す浴室ユニットの床部材を構成する洗い場床パン及び床支持部材を示す平面図である。
【図５】本発明の実施形態に係る浴室ユニットの矯正部を示す断面図である。
【図６】本発明の実施形態に係る浴室ユニットの矯正部を示す断面図である。
【図７】本発明の実施形態に係る浴室ユニットの矯正部を示す断面図である。
【図８】本発明の実施形態に係る浴室ユニットにおいて、洗い場床パンの外周の一部を矯正した状態を示す平面図である。
【図９】図８のＡ−Ａ断面図である。
【図１０】図８のＢ−Ｂ断面図である。
【図１１】本発明の実施形態に係る浴室ユニットの圧縮許容部を示す断面図である。
【発明を実施するための形態】
【００２４】
以下、添付図面を参照しながら本発明の実施の形態について説明する。説明の理解を容易にするため、各図面において同一の構成要素に対しては可能な限り同一の符号を付して、重複する説明は省略する。
【００２５】
本発明の実施形態に係る浴室ユニットの概略構成について、図１を参照しながら説明する。図１は、本発明の実施形態に係る浴室ユニットＵＢの概略構成を示す斜視図である。図１に示すように、浴室ユニットＵＢは、浴槽ＢＴと、浴槽ＢＴを囲むように立設される板状の壁部材ＷＰ１，ＷＰ２，ＷＰ３，ＷＰ４，ＷＰ５，ＷＰ６，ＷＰ７と、浴槽ＢＴと壁部材ＷＰ１，ＷＰ２，ＷＰ３，ＷＰ４との間に配置される略矩形状の洗い場床パンＦＰ及び床支持部材ＨＰ（床部材）と、壁部材ＷＰ１，ＷＰ２，ＷＰ３，ＷＰ４，ＷＰ５，ＷＰ６，ＷＰ７を支持する柱状の第一支柱部材ＰＣ１，ＰＣ２及び第二支柱部材ＰＰ１，ＰＰ２，ＰＰ３（支柱部材）と、を備える。
【００２６】
図１においては、図面の視認性を考慮し、浴槽ＢＴ、壁部材ＷＰ１，ＷＰ２，ＷＰ３，ＷＰ４，ＷＰ５，ＷＰ６，ＷＰ７、第一支柱部材ＰＣ１，ＰＣ２及び第二支柱部材ＰＰ１，ＰＰ２，ＰＰ３は、それぞれ破線で外形を示した。また、壁部材ＷＰ１，ＷＰ２，ＷＰ３，ＷＰ４のいずれかは、ドア部材として開閉可能なように形成されている。
【００２７】
洗い場床パンＦＰは、熱可塑性樹脂を発泡成形することで形成されている。洗い場床パンＦＰは、浴槽ＢＴに沿う辺を除く他辺の周縁部に壁部材ＷＰ１，ＷＰ２，ＷＰ３，ＷＰ４が載置される壁載置部ＦＰｑが一体的に設けられている。壁載置部ＦＰｑは、洗い場床面ＦＰｐの外側に形成された溝状の部分である。壁載置部ＦＰｑの外側には、壁部材ＷＰ１，ＷＰ２，ＷＰ３，ＷＰ４側（上側）に立設するように、水返し壁部ＦＰｃが形成されている。また壁載置部ＦＰｑの内側には、図１１に示すような面方向に圧縮可能な圧縮許容部ＦＰｒが周状に形成されている。
【００２８】
洗い場床パンＦＰの浴槽ＢＴに沿う辺の中央近傍には、排水ピットＦＰａが形成されている。排水ピットＦＰａは、排水金具（図示しない）が収められる部分であって、床支持部材ＨＰ側（下側）に突出した突起部を有している。洗い場床パンＦＰの中央領域には、位置規制部ＦＰｂが形成されている。位置規制部ＦＰｂは、床支持部材ＨＰ側（下側）に突出した突起部として形成されている。
【００２９】
床支持部材ＨＰは、洗い場床パンＦＰの線膨張係数よりも小さい線膨張係数となり且つ洗い場床パンＦＰの剛性よりも高い剛性となるように形成されている。床支持部材ＨＰは、洗い場床パンＦＰの下側に配置される支持部材である。床支持部材ＨＰは、床支持面ＨＰｐ上に洗い場床パンＦＰを載せることで、洗い場床パンＦＰを支持している。
【００３０】
床支持部材ＨＰの浴槽ＢＴに沿う辺の中央近傍には、排水ピット穴ＨＰａが形成されている。排水ピット穴ＨＰａは、排水ピットＦＰａが挿入される穴である。従って、洗い場床パンＦＰの排水ピットＦＰａは、床支持部材ＨＰの排水ピット穴ＨＰａに嵌め合わされることで、水平方向の位置ずれを規制するように水平方向において拘束される。
【００３１】
床支持部材ＨＰの中央領域には、位置規制穴ＨＰｂが形成されている。位置規制穴ＨＰｂは、位置規制部ＦＰｂが挿入される穴である。従って、洗い場床パンＦＰの位置規制部ＦＰｂは、床支持部材ＨＰの位置規制穴ＨＰｂに嵌め合わされることで、水平方向の位置ずれを規制するように水平方向において拘束される。
【００３２】
床支持部材ＨＰの、浴槽ＢＴ側とは反対側における一対の角部には、それぞれ取付部材２（押圧部）が取り付けられている。取付部材２は、第一支柱部材ＰＣ１，ＰＣ２を床支持部材ＨＰに対して取り付けるための金具である。取付部材２は、第一支柱部材ＰＣ１，ＰＣ２と組み合わされることで、矯正部ＣＭｂとして機能する。
【００３３】
床支持部材ＨＰの、浴槽ＢＴ側の辺以外の三辺には、それぞれ矯正部材１２（押圧部）が取り付けられている。矯正部材１２は、第二支柱部材ＰＰ１，ＰＰ２，ＰＰ３を床支持部材ＨＰに対して取り付けるための金具である。矯正部材１２は、第二支柱部材ＰＰ１，ＰＰ２，ＰＰ３と組み合わされることで、矯正部ＣＭａとして機能する。
【００３４】
床支持部材ＨＰに対して洗い場床パンＦＰを戴置した状態を図２に示す。図２に示すように、床支持部材ＨＰに対して洗い場床パンＦＰを戴置すると、取付部材２及び矯正部材１２は、洗い場床パンＦＰよりも上方側から視認可能な位置まで突出する。取付部材２は、洗い場床パンＦＰを内側に向けて圧縮変形するように作用する。矯正部材１２も同様に、洗い場床パンＦＰを内側に向けて圧縮変形するように作用する。
【００３５】
このように、洗い場床パンＦＰが圧縮変形されて、その水平面投影領域が矯正される状態を、図３及び図４を参照しながら説明する。図３は、洗い場床パンＦＰ及び床支持部材ＨＰを模式的に示す平面図であって、矯正前の状態を示すものである。図４は、洗い場床パンＦＰ及び床支持部材ＨＰを模式的に示す平面図であって、矯正後の状態を示すものである。
【００３６】
図３に示すように、矯正前の状態では、洗い場床パンＦＰの水平面投影領域は、床支持部材ＨＰの水平面投影領域よりも大きくなるように構成されている。これは、洗い場床パンＦＰが、熱可塑性樹脂を発泡成形することで形成されていることに起因するものであり、当初の寸法設定上、水平面投影領域が大きくなるように構成されていても、成型後の収縮によって水平面投影領域が大きくなってしまっても構わないものである。
【００３７】
図４に示すように、矯正部ＣＭａ及び矯正部ＣＭｂによって、洗い場床パンＦＰが内側に圧縮変形されることで、洗い場床パンＦＰの水平面投影領域が所定の領域となるように矯正される。より具体的には、洗い場床パンＦＰの周縁部に形成される壁載置部ＦＰｑに、壁部材ＷＰ１，ＷＰ２，ＷＰ３，ＷＰ４が戴置された場合に、壁部材ＷＰ１，ＷＰ２，ＷＰ３，ＷＰ４が所定の位置に設置可能な程度まで矯正されるものである。洗い場床パンＦＰは、矯正部ＣＭａ及び矯正部ＣＭｂによって圧縮変形されるので、矯正部ＣＭａ及び矯正部ＣＭｂが設けられた部分は、壁部材ＷＰ１，ＷＰ２，ＷＰ３，ＷＰ４が本来設置されるべき位置まで押し縮めされる。矯正部ＣＭａ及び矯正部ＣＭｂが設けられていない部分において、洗い場床パンＦＰは外側に撓んだままの状態になることも想定されるが、その場合であっても壁部材ＷＰ１，ＷＰ２，ＷＰ３，ＷＰ４が、壁戴置部ＦＰｑに入り込むように寸法設定されている。
【００３８】
続いて、矯正部ＣＭａについて図５を参照しながら説明する。図５は、矯正部ＣＭａ近傍を示す断面図である。図５に示すように、矯正部ＣＭａは、矯正部材１２と固定ネジ１４とを有するものである。矯正部材１２は、固定ネジ１４によって床支持部材ＨＰに固定される。矯正部材１２は、Ｌ字状の金具であって、床支持部材ＨＰの外周に沿って立ち上がるように配置される。
【００３９】
続いて、図６に示すように、床支持部材ＨＰに洗い場床パンＦＰを戴置すると、壁戴置部ＦＰｑ及び水返し壁部ＦＰｃが形成された部分を、矯正部材１２が内側に押し込むように作用する。図６に示すように、洗い場床パンＦＰにおいては、洗い場床面ＦＰｐの周囲に、壁載置部ＦＰｑが溝状に形成されている。従って、壁載置部ＦＰｑの溝下面である、壁載置部上面ＦＰｄは、洗い場床面ＦＰｐよりも一段下がった下方に位置するように形成されている。
【００４０】
続いて、図７に示すように、矯正部材１２に第二支柱部材ＰＰ１（ＰＰ２，ＰＰ３）を固定する。第二支柱部材ＰＰ１の下端には、係合突起ＰＰａが形成されている。矯正部材１２に第二支柱部材ＰＰ１を固定すると、矯正部材１２と係合突起ＰＰａとの間に水返し壁部ＦＰｃが挟み込まれて固定される。
【００４１】
本実施形態では、床支持部材ＨＰの水平面投影領域よりも、洗い場床パンＦＰの水平面投影領域が大きくなるように形成し、矯正部ＣＭａ，ＣＭｂによって洗い場床パンＦＰを水平面方向に沿って圧縮変形させることで、洗い場床パンＦＰの水平面投影領域を矯正している。この矯正度合いは、床支持部材ＨＰの水平面投影領域と、洗い場床パンＦＰの水平面投影領域とが完全に一致する程度まで矯正される必要は必ずしもなく、壁部材ＷＰ１〜ＷＰ４が支障なく立設できれば足りるものである。従って、洗い場床パンＦＰの一部が床支持部材ＨＰよりも外側に位置した状態であっても、壁部材ＷＰ１〜ＷＰ４が立設可能であればよいものである。その一例について、図８を参照しながら説明する。
【００４２】
図８は、洗い場床パンＦＰの一部を矯正部ＣＭａ，ＣＭｂによって矯正しているものの、矯正部ＣＭａと矯正部ＣＭｂとの間において洗い場床パンＦＰがはみ出している状態を示す平面的な模式図である。図８のＡ−Ａ断面を図９に示し、図８のＢ−Ｂ断面を図１０に示す。
【００４３】
図９に示す部分は、矯正部ＣＭａと矯正部ＣＭｂとの略中間に相当する部分であるので、洗い場床パンＦＰを内側に押し込む力が最も弱くなる。従って、洗い場床パンＦＰは、床支持部材ＨＰよりも外側に位置する。図９に示すように、壁戴置部ＦＰｑにおける壁戴置部上面ＦＰｄの幅が、壁部材ＷＰ１の下端の厚みよりも十分に広くなるように構成されている。そのため、洗い場床パンＦＰが外側にずれていても、壁部材ＷＰ１は壁戴置部ＦＰｑの内側に当接し、壁戴置部ＦＰｑの内部に収まる。
【００４４】
一方、図１０に示す部分は、矯正部ＣＭｂに近接する部分であるので、洗い場床パンＦＰを内側に押し込む力が強くなる。従って、洗い場床パンＦＰは、床支持部材ＨＰよりも内側に位置する。図１０に示すように、壁戴置部ＦＰｑにおける壁戴置部上面ＦＰｄの幅が、壁部材ＷＰ１の下端の厚みよりも十分に広くなるように構成されている。そのため、洗い場床パンＦＰが内側にずれていても、壁部材ＷＰ１は壁戴置部ＦＰｑの外側に当接し、壁戴置部ＦＰｑの内部に収まる。
【００４５】
尚、上述した本実施形態では、洗い場床パンＦＰを内側に圧縮変形させる矯正手段として、矯正部ＣＭａと矯正部ＣＭｂとを部分的に設けたけれども、壁部材ＷＰ１〜ＷＰ４を支障なく立設可能であれば、この態様に限られるものではない。例えば、床支持部材の外周を、壁部材ＷＰ１〜ＷＰ４が配置される３辺に渡って立ち上げて、洗い場床パンＦＰを内側に圧縮変形させることも好ましいものである。
【００４６】
上述したように本実施形態では、洗い場床パンＦＰは、その周縁部が支柱部材ＰＰ１，ＰＰ２，ＰＰ３よりも外側に位置するように、床支持部材ＨＰよりも大きな水平面投影領域となるように、予め大きめに形成されている。第一支柱部材ＰＣ１，ＰＣ２及び第二支柱部材ＰＰ１，ＰＰ２，ＰＰ３に対応する壁載置部ＦＰｑの一部を第一支柱部材ＰＣ１，ＰＣ２及び第二支柱部材ＰＰ１，ＰＰ２，ＰＰ３に当接させるように圧縮変形させ、洗い場床パンＦＰの水平面投影領域を矯正する矯正手段としての矯正部ＣＭａ，ＣＭｂを設けている。
【００４７】
本実施形態によれば、洗い場の床面を構成する洗い場床パンＦＰを、熱可塑性樹脂によって形成しているので、成形時の二酸化炭素排出量を低減することが出来ると共に、リサイクルを容易なものとすることができる。洗い場床パンＦＰを発泡成形によって形成しているので、成形時の内圧を低減することができるため成形型の費用を低減することができ、洗い場床パン自体の軽量化を図ることもできる。洗い場床パンＦＰには、壁部材ＷＰ１〜ＷＰ４を載置するための壁載置部ＦＰｑを一体的に設けているので、この壁載置部ＦＰｑに壁部材ＷＰ１〜ＷＰ４を載せた状態を保つことで優れた防水性能を発揮することができる。第一支柱部材ＰＣ１，ＰＣ２及び第二支柱部材ＰＰ１，ＰＰ２，ＰＰ３を床支持部材ＨＰに対して取り付けることで、洗い場床パンＦＰに取り付けた場合に比較して、長期的に安定して壁部材ＷＰ１〜ＷＰ４を支持することができる。
【００４８】
更に本実施形態では、例えば、洗い場床パンＦＰが収縮してしまったとしても、狙いの水平面投影領域を確保できるように、狙いの水平面投影領域よりも十分に大きく形成し、洗い場床パンＦＰを圧縮変形させることで、狙いの水平面投影領域を確保することができるように構成している。また、第一支柱部材ＰＣ１，ＰＣ２及び第二支柱部材ＰＰ１，ＰＰ２，ＰＰ３に対応する壁載置部ＦＰｑの一部を第一支柱部材ＰＣ１，ＰＣ２及び第二支柱部材ＰＰ１，ＰＰ２，ＰＰ３に当接させるように圧縮変形させているので、少なくとも第一支柱部材ＰＣ１，ＰＣ２及び第二支柱部材ＰＰ１，ＰＰ２，ＰＰ３に対応する位置における洗い場床パンＦＰの壁載置部ＦＰｑを、壁部材ＷＰ１〜ＷＰ４を載せるための正規の位置に配置することができる。第一支柱部材ＰＣ１，ＰＣ２及び第二支柱部材ＰＰ１，ＰＰ２，ＰＰ３を洗い場床パンＦＰの外側から壁部材ＷＰ１〜ＷＰ４側に立設するように設けており、これら第一支柱部材ＰＣ１，ＰＣ２及び第二支柱部材ＰＰ１，ＰＰ２，ＰＰ３よりも内側に洗い場床パンＦＰを圧縮変形させているので、浴室ユニットとしての平面寸法を維持した状態で配置することができる。結果として、壁部材ＷＰ１〜ＷＰ４を第一支柱部材ＰＣ１，ＰＣ２及び第二支柱部材ＰＰ１，ＰＰ２，ＰＰ３に沿って垂直に立設することができ、壁部材や天井パネルを密接させて取り付けることができる。また、洗い場床パンＦＰの壁載置部ＦＰｑより内側には、面方向に圧縮可能な圧縮許容部ＦＰｒを有しているため、洗い場床パンＦＰの全体を圧縮変形させる場合に比べて、少ない力で洗い場床パンＦＰを平面方向に圧縮させることができる。また、圧縮許容部ＦＰｒが積極的に圧縮するため、洗い場床パンＦＰを圧縮させる際に、洗い場床パンＦＰが破損することを防止できる。
【００４９】
また本実施形態では、矯正部ＣＭａ，ＣＭｂを第一支柱部材ＰＣ１，ＰＣ２及び第二支柱部材ＰＰ１，ＰＰ２，ＰＰ３に対応する位置に設けているので、洗い場床パンＦＰを第一支柱部材ＰＣ１，ＰＣ２及び第二支柱部材ＰＰ１，ＰＰ２，ＰＰ３に対応する位置において確実に狙いの位置まで圧縮変形させることができる。そのため、第一支柱部材ＰＣ１，ＰＣ２及び第二支柱部材ＰＰ１，ＰＰ２，ＰＰ３が配置された場所においては、壁部材ＷＰ１〜ＷＰ４を確実に正規の位置に配置することができる。更に、第一支柱部材ＰＣ１，ＰＣ２及び第二支柱部材ＰＰ１，ＰＰ２，ＰＰ３それぞれの間においては、壁部材ＷＰ１〜ＷＰ４が内側に入り込むことがなく、結果として壁部材ＷＰ１〜ＷＰ４を正規の位置に立設させることができる。従って、矯正部ＣＭａ，ＣＭｂを洗い場床パンＦＰを囲繞するように全周に設けることなく、洗い場床パンＦＰの水平面投影領域を矯正し、壁部材ＷＰ１〜ＷＰ４を第一支柱部材ＰＣ１，ＰＣ２及び第二支柱部材ＰＰ１，ＰＰ２，ＰＰ３に沿って垂直に立設することができる。
【００５０】
また本実施形態では、洗い場床パンＦＰの周縁部を内側に押し込むことで圧縮変形させる押圧部として機能する取付部材２及び矯正部材１２を、その上端が壁戴置部ＦＰｑと略同等以上の高さに突出するように床支持部材ＨＰに設けているので、洗い場床パンＦＰを第一支柱部材ＰＣ１，ＰＣ２及び第二支柱部材ＰＰ１，ＰＰ２，ＰＰ３に対応する位置においてより確実に狙いの位置まで圧縮変形させることができる。従って、第一支柱部材ＰＣ１，ＰＣ２及び第二支柱部材ＰＰ１，ＰＰ２，ＰＰ３が配置された場所においては、壁部材ＷＰ１〜ＷＰ４をより確実に正規の位置に配置することができる。
【００５１】
また本実施形態では、壁戴置部ＦＰｑの壁戴置部上面ＦＰｄを、洗い場床面ＦＰｐよりも低い位置に形成しているので、壁部材ＷＰ１〜ＷＰ４の下端を確実に位置決めすることができる。特に、第一支柱部材ＰＣ１，ＰＣ２及び第二支柱部材ＰＰ１，ＰＰ２，ＰＰ３それぞれの間において壁戴置部ＦＰｑが洗い場床面ＦＰｐに沿って外側に膨らんだままの状態となった場合であっても、壁部材ＷＰ１〜ＷＰ４の下端が壁戴置部上面ＦＰｄに当接するように、壁戴置部上面ＦＰｄの幅が壁部材ＷＰ１〜ＷＰ４の下端の厚みよりも広く形成されているので、壁戴置部ＦＰｑの変形度合いによらずに壁部材ＷＰ１〜ＷＰ４を確実に立設させることができる。
【００５２】
また本実施形態では、矯正部ＣＭａ，ＣＭｂを床支持部材ＨＰに取り付けて、第一支柱部材ＰＣ１，ＰＣ２及び第二支柱部材ＰＰ１，ＰＰ２，ＰＰ３を床支持部材ＨＰに対して間接的に取り付けることができるように構成している。従って、矯正部ＣＭａ，ＣＭｂは、第一支柱部材ＰＣ１，ＰＣ２及び第二支柱部材ＰＰ１，ＰＰ２，ＰＰ３の床支持部材ＨＰに対する取付部材として構成することができるので、全体の構成を簡素化することができる。
【００５３】
また本実施形態では、洗い場床パンＦＰの浴槽ＢＴ側周縁部に、床支持部材ＨＰ側に突出した排水ピットＦＰａが形成されているので、この排水ピットＦＰａを基準として水平方向における洗い場床パンＦＰ全体の位置ずれを規制している。従って、この排水ピットＦＰａを基準として、矯正部ＣＭａ，ＣＭｂが洗い場床パンＦＰを圧縮変形することになるので、矯正部ＣＭａ，ＣＭｂが配置されない浴槽ＢＴ側を特別な部材を用いることなく位置決めすることができる。
【００５４】
以上、具体例を参照しつつ本発明の実施の形態について説明した。しかし、本発明はこれらの具体例に限定されるものではない。すなわち、これら具体例に、当業者が適宜設計変更を加えたものも、本発明の特徴を備えている限り、本発明の範囲に包含される。例えば、前述した各具体例が備える各要素およびその配置、材料、条件、形状、サイズなどは、例示したものに限定されるわけではなく適宜変更することができる。また、前述した各実施の形態が備える各要素は、技術的に可能な限りにおいて組み合わせることができ、これらを組み合わせたものも本発明の特徴を含む限り本発明の範囲に包含される。
【符号の説明】
【００５５】
ＵＢ：浴室ユニット
ＢＴ：浴槽
ＷＰ１，ＷＰ２，ＷＰ３，ＷＰ４，ＷＰ５，ＷＰ６，ＷＰ７：壁部材
ＰＣ１，ＰＣ２：第一支柱部材
ＰＣａ：係合突起
ＰＰ１，ＰＰ２，ＰＰ３：第二支柱部材
ＰＰａ：係合突起
ＦＰ：洗い場床パン（床部材）
ＦＰａ：排水ピット
ＦＰｂ：位置規制部
ＦＰｃ：水返し壁部
ＦＰｄ：壁載置部上面
ＦＰｑ：壁載置部
ＦＰｐ：洗い場床面
ＦＰｒ：圧縮許容部
ＨＰ：床支持部材（床部材）
ＨＰａ：排水ピット穴
ＨＰｂ：位置規制穴
ＨＰｐ：床支持面
ＣＭａ：矯正部
ＣＭｂ：矯正部
１２：矯正部材
２：取付部材
【図１】
0005939498.tif 000002
【図２】
0005939498.tif 000003
【図３】
0005939498.tif 000004
【図４】
0005939498.tif 000005
【図５】
0005939498.tif 000006
【図６】
0005939498.tif 000007
【図７】
0005939498.tif 000008
【図８】
0005939498.tif 000009
【図９】
0005939498.tif 000010
【図１０】
0005939498.tif 000011
【図１１】
0005939498.tif 000012